(57)【要約】【課題】  位置によって使用を許可する操作者を異ならせること。【解決手段】  携帯電話機は、処理を実行する処理実行部と、操作を受け付ける操作受付部（Ｓ０１）と、被写体を撮像して得られる画像データを出力するカメラと、現在位置を取得する位置取得部（Ｓ１０）と、操作受付部により操作が受け付けられることに応じて、カメラを能動化して画像データを取得する画像取得部（Ｓ０５）と、画像データを用いて操作者を特定する特定部（Ｓ０６）と、特定された操作者と取得された現在位置とに基づき、処理実行部による処理の実行を許可する許可部（Ｓ１１）と、を備える。【選択図】        図６
2009212656.tif 000002
【特許請求の範囲】
【請求項１】
処理を実行する処理実行手段と、
操作を受け付ける受付手段と、
被写体を撮像して得られる画像データを出力する撮像手段と、
現在位置を取得する位置取得手段と、
前記受付手段により操作が受け付けられることに応じて、前記撮像手段を能動化して画像データを取得する画像取得手段と、
前記画像データを用いて操作者を特定する特定手段と、
前記特定された操作者と前記取得された現在位置とに基づき、前記処理実行手段による処理の実行を許可する許可手段と、を備えた携帯情報処理装置。
【請求項２】
操作者を識別するための識別情報と位置情報とを関連付ける関連付手段をさらに備え、
前記許可手段は、前記取得された位置情報が前記特定された操作者の識別情報と関連付けられた位置情報に含まれる場合、前記処理実行手段により処理の実行を許可する、請求項１に記載の携帯情報処理装置。
【請求項３】
処理を実行する処理実行手段と、
操作を受け付ける受付手段と、
被写体を撮像して得られる画像データを出力する撮像手段と、
前記受付手段により操作が受け付けられることに応じて、前記撮像手段を能動化して画像データを取得する画像取得手段と、
前記画像データを用いて操作者を特定する特定手段と、
操作者を識別するための識別情報と時間帯とを関連付ける関連付手段をさらに備え、
現在時刻が前記特定された操作者の識別情報と関連付けられた時間帯に含まれる場合、前記処理実行手段により処理の実行を許可する許可手段とを備えた、携帯情報処理装置。
【請求項４】
前記処理実行手段は、複数の処理を実行可能であり、
前記関連付手段は、さらに、前記識別情報に前記複数の処理の少なくとも１つを関連付け、
前記許可手段は、前記受付手段により受け付けられた操作に対応する処理が、前記特定された操作者の識別情報と関連付けられている場合、前記処理実行手段により処理の実行を許可する、請求項２または３に記載の携帯情報処理装置。
【請求項５】
操作を受け付けるステップと、
現在位置を取得するステップと、
前記操作が受け付けられることに応じて、被写体を撮像して画像データを取得するステップと、
前記取得された画像データを用いて操作者を特定するステップと、
前記特定された操作者と前記取得された現在位置とに基づき、処理を実行するか否かを決定するステップと、を含むロック解除方法。
【発明の詳細な説明】
【技術分野】
【０００１】
この発明は、携帯情報処理装置およびロック解除方法に関し、特に操作者を特定する機能を備えた携帯情報処理装置およびロック解除方法に関する。
【背景技術】
【０００２】
近年市場に流通する携帯電話機の多くは、他人によるキー操作を受付けないようにロックする機能を備えている。携帯電話機は、正しいパスワードが入力されない限りロックを解除しない。しかしながら、パスワードに複数の数字の組合せが設定されることが多く、数字の組合せを何度も試すことで、パスワードと同じ数字の組み合わせとなる可能性がある。携帯電話機のロックが他人に解除されると、携帯電話機の所有者の知らないうちに、携帯電話機が他人に使用されたり、携帯電話機に格納された情報が他人に知られたりしてしまう。
【０００３】
また、ロックを解除するためにパスワードを入力しなければならず、煩雑な操作が必要であった。特開２００６−９３９３４号公報には、顔認証システムと虹彩認証システムおよび声紋認証システムを備え、顔認証、虹彩認証および声紋認証を行い、すべての認証で正規の登録者であると判断されたときのみ使用を許可する携帯電話機端末が記載されている。
【０００４】
しかしながら、声紋認証のために音声を入力しなければならず、操作が煩雑であるといと問題があった。また、携帯電話端末に予め登録された操作者のみしか使用することができないといと問題がある。
【特許文献１】特開２００６−９３９３４号公報
【発明の開示】
【発明が解決しようとする課題】
【０００５】
この発明は上述した問題点を解決するためになされたもので、この発明の目的の１つは、位置によって使用を許可する操作者を異ならせることが可能な携帯情報処理装置を提供することである。
【０００６】
この発明の他の目的は、時間帯によって使用を許可する操作者を異ならせることが可能な携帯情報処理装置を提供することである。
【０００７】
この発明の他の目的は、位置によって使用を許可する操作者を異ならせることが可能なロック解除方法を提供することである。
【０００８】
この発明のさらに他の目的は、時間帯によって使用を許可する操作者を異ならせることが可能なロック解除方法を提供することである。
【課題を解決するための手段】
【０００９】
上述した目的を達成するためにこの発明のある局面によれば、携帯情報処理装置は、処理を実行する処理実行手段と、操作を受け付ける受付手段と、被写体を撮像して得られる画像データを出力する撮像手段と、現在位置を取得する位置取得手段と、受付手段により操作が受け付けられることに応じて、撮像手段を能動化して画像データを取得する画像取得手段と、画像データを用いて操作者を特定する特定手段と、特定された操作者と取得された現在位置とに基づき、処理実行手段による処理の実行を許可する許可手段と、を備える。
【００１０】
この局面に従えば、操作が受け付けられることに応じて、被写体を撮像して得られる画像データが取得され、画像データを用いて操作者が特定され、特定された操作者と現在位置とに基づき、処理の実行が許可される。このため、特定された操作者と現在位置とに基づいて、処理の実行を許可するか否かが判断されるので、携帯情報処理装置が存在する位置によって使用を許可する操作者を異ならせることが可能な携帯情報処理装置を提供することができる。
【００１１】
好ましくは、操作者を識別するための識別情報と位置情報とを関連付ける関連付手段をさらに備え、許可手段は、取得された位置情報が特定された操作者の識別情報と関連付けられた位置情報に含まれる場合、処理実行手段により処理の実行を許可する。
【００１２】
この発明の他の局面によれば、携帯情報処理装置は、処理を実行する処理実行手段と、操作を受け付ける受付手段と、被写体を撮像して得られる画像データを出力する撮像手段と、受付手段により操作が受け付けられることに応じて、撮像手段を能動化して画像データを取得する画像取得手段と、画像データを用いて操作者を特定する特定手段と、操作者を識別するための識別情報と時間帯とを関連付ける関連付手段をさらに備え、現在時刻が特定された操作者の識別情報と関連付けられた時間帯に含まれる場合、処理実行手段により処理の実行を許可する許可手段とを備える。
【００１３】
この局面に従えば、識別情報に時間帯が関連付けられ、現在時刻が操作者の識別情報と関連付けられた時間帯に含まれる場合、処理の実行が許可される。このため、時間帯によって使用を許可する操作者を異ならせることが可能な携帯情報処理装置を提供することができる。
【００１４】
好ましくは、処理実行手段は、複数の処理を実行可能であり、関連付手段は、さらに、識別情報に複数の処理の少なくとも１つを関連付け、許可手段は、受付手段により受け付けられた操作に対応する処理が、特定された操作者の識別情報と関連付けられている場合、処理実行手段により処理の実行を許可する。
【００１５】
この局面に従えば、識別情報に複数の処理の少なくとも１つが関連付けられ、受け付けられた操作が特定された操作者の識別情報と関連付けられている場合、処理の実行が許可される。このため、操作者によって実行させることができる処理を異ならせることができる。
【００１６】
この発明のこの局面によれば、ロック解除方法は、操作を受け付けるステップと、現在位置を取得するステップと、操作が受け付けられることに応じて、被写体を撮像して画像データを取得するステップと、取得された画像データを用いて操作者を特定するステップと、特定された操作者と取得された現在位置とに基づき、処理を実行するか否かを決定するステップと、を含む。
【００１７】
この局面に従えば、位置によって使用を許可する操作者を異ならせることが可能なロック解除方法を提供することができる。
【発明を実施するための最良の形態】
【００１８】
以下、本発明の実施の形態について図面を参照して説明する。以下の説明では同一の部品には同一の符号を付してある。それらの名称および機能も同じである。したがってそれらについての詳細な説明は繰返さない。
【００１９】
図１は、本発明の実施の形態の１つにおける携帯電話機の外観を示す斜視図である。携帯電話機は、携帯情報処理装置の一例である。図１（Ａ）は、オープンスタイルの携帯電話機の外観を示し、図１（Ｂ）はクローズスタイルの携帯電話機の外観を示す。図１（Ａ）および図１（Ｂ）を参照して、携帯電話機１は、操作側部３と、表示側部２とを含む。
【００２０】
操作側部３は、電源キー１４Ａ、テンキーおよび通話キー等を含む操作キー１４と、マイクロフォン１３とが内側面に配置される。表示側部２は、液晶表示装置（ＬＣＤ）１５と、レシーバを構成する第１スピーカ１１と、カメラ２４と、光センサ３７が内側面に配置され、小型ＬＣＤ１５Ａと、第２スピーカ１２とが外側面に配置される。
【００２１】
なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。
【００２２】
操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２３】
図２は、本実施の形態における携帯電話機の機能の一例を示す機能ブロック図である。図２を参照して、携帯電話機１は、携帯電話機１の全体を制御するための制御部２１と、アンテナ２２Ａと接続された通信回路２２と、音声データを処理するためのコーデック部２８と、それぞれがコーデック部２８に接続されたマイクロフォン１３、第１スピーカ１１および第２スピーカ１２と、カメラ２４と、ユーザの操作の入力を受付ける操作キー１４と、赤外線通信部１９と、通信インターフェース（Ｉ／Ｆ）２６と、ＬＣＤ１５の表示を制御するための表示制御部３０と、制御部２１の作業領域として使用されるＲＡＭ（Ｒａｎｄｏｍ  Ａｃｃｅｓｓ  Ｍｅｍｏｒｙ）３２と、制御部２１で実行するためのプログラム等を不揮発的に記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）３３と、カードインターフェース（Ｉ／Ｆ）２７と、ＧＰＳ（Ｇｌｏｂａｌ  Ｐｏｓｉｔｉｏｎｉｎｇ  Ｓｙｓｔｅｍ）センサ３８と、携帯電話機１の全体に電力を供給するためのバッテリ３５と、光センサ３７と、を含む。
【００２４】
制御部２１は、複数のアプリケーションプログラムを実行可能である。複数のアプリケーションプログラムは、データにアクセスし、データを表示または編集するプログラム、電子メールを送受信するプログラム、ゲームを実行するプログラム、カメラ２４を能動化し、撮像するプログラム等を含む。制御部２１が、複数のアプリケーションプログラムのいずれを実行するかは、ユーザが操作キー１４に入力する操作に基づいて定まる。
【００２５】
通信回路２２は、携帯電話機１をネットワークに接続する。ネットワークは、ここでは、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）の通信方式のネットワークである。通信回路２２は、Ｗ−ＣＤＭＡのネットワークに接続された基地局装置と無線通信する。基地局装置が送信する無線信号は、アンテナ２２Ａにより受信される。通信回路２２は、アンテナ２２Ａにより受信された無線信号が入力され、無線信号を復調した信号を制御部２１に出力する。無線信号を復調した信号が音声信号の場合、制御部２１は、音声信号をコーデック部２８に出力する。
【００２６】
通信回路２２は、制御部２１から送信信号が入力されると、その信号を変調した無線信号をアンテナ２２Ａに出力する。制御部２１は、コーデック部２８から音声信号が入力されると、音声信号を通信回路２２に出力する。アンテナ２２Ａから送信される無線信号は、Ｗ−ＣＤＭＡの基地局装置で受信される。
【００２７】
コーデック部２８は、制御部２１から入力される音声信号を復号し、復号したデジタルの音声信号をアナログに変換し、増幅し、第１スピーカ１１または第２スピーカ１２に出力する。また、コーデック部２８は、マイクロフォン１３からアナログの音声信号が入力され、音声信号をデジタルに変換し、符号化し、そして符号化した音声信号を制御部２１に出力する。
【００２８】
ユーザが操作キー１４を操作することにより、携帯電話機１がハンズフリーモードに設定される。また、携帯電話機１がオープンスタイルで通話状態のときハンズフリーモードに設定されていなくても、携帯電話機１の状態がクローズスタイルに変化すると、制御部２１は、ハンズフリーモードに設定する。このため、コーデック部２８は、携帯電話機１がオープンスタイルで通話状態のときハンズフリーモードに設定されていなければ、音声信号を第１スピーカ１１に出力するが、携帯電話機１の状態がクローズスタイルに変化すると音声信号を第２スピーカ１２に出力する。
【００２９】
表示制御部３０は、制御部２１により制御され、制御部２１から入力される指示に従ってＬＣＤ１５を制御して、ＬＣＤ１５に操作画面または画像を表示させる。ＬＣＤ１５に表示させる画像は、動画像と静止画像とを含む。また、表示制御部３０は、小型ＬＣＤ１５Ａを制御する。
【００３０】
ＥＥＰＲＯＭ３３は、複数の電子メールアドレスを含むアドレス帳を記憶する。アドレス帳は、電子メールアドレスを仕事用とプライベート用とに分類して記憶する。また、ＥＥＰＲＯＭ３３は、電話の発着信履歴、電子メールの送受信履歴、スケジュール、日記などの個人情報記憶する。
【００３１】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１が実行するためのプログラムをＥＥＰＲＯＭ３３に記憶しておく例を説明するが、プログラムをフラッシュメモリ２７Ａに記憶しておき、フラッシュメモリ２７Ａからプログラムを読み出して、制御部２１が実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等でもよい。
【００３２】
また、携帯電話機１をインターネットに通信回路２２を介して接続し、インターネットに接続されたコンピュータからプログラムをダウンロードして、制御部２１が実行するようにしてもよい。ここでいうプログラムは、制御部２１が直接実行可能なプログラムだけでなく、ソースプログラム、圧縮処理されたプログラム、暗号化されたプログラム等を含む。
【００３３】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。
【００３４】
赤外線通信部１９は、赤外線を媒体としてデータを送受信する。なお、ここでは、赤外線を媒体としてデータを送受信する例を示したが、例えば、ＩｒＤＡ（Ｉｎｆｒａｒｅｄ  Ｄａｔａ  Ａｓｓｏｃｉａｔｉｏｎ）規格等の電磁波を用いた無線通信により外部の機器と通信するようにしてもよい。
【００３５】
通信Ｉ／Ｆ２６は、携帯電話機１をコンピュータと接続するためのインターフェースである。通信Ｉ／Ｆ２６は、シリアルインターフェースであってもよいし、パラレルインターフェースであってもよい。通信Ｉ／Ｆ２６に通信ケーブルを介して外部のコンピュータが接続されると、制御部２１は外部のコンピュータと通信することが可能となる。
【００３６】
ＧＰＳセンサ３８は、全地球測位システム（ＧＰＳ）におけるＧＰＳ衛星からの電波を受信し、現在の地図上の位置を示す信号を制御部２１に出力する。
【００３７】
バッテリ３５は、リチウムポリマ電池、ニッカド電池またはニッケル水素電池等の二次電池であり、携帯電話機１の全体に電力を供給する。光センサ３７は、外部から受光されるの光の量を検出し、光量を制御部２１に出力する。
図３は、携帯電話機が備える制御部の機能の概要を示す機能ブロック図である。図３を参照して、制御部２１は、操作を受け付ける操作受付部５１と、処理を実行する処理実行部５３と、現在位置を取得する位置取得部５９と、カメラ２４を能動化して画像データを取得する画像取得部５５と、操作者を特定するための特定部５７と、処理の実行を許可する許可部６１と、を含む。
【００３８】
操作受付部５１は、携帯電話機１を使用するユーザが入力する操作を受け付ける。具体的には、ユーザが、アプリケーションの実行を指示するためのメニュー画面をＬＣＤ１５に表示させ、操作者が操作キー１４を操作してアプリケーションを選択すると、操作キー１４に入力された操作を受け付ける。操作受付部５１は、受け付けられた操作を識別するための操作識別情報を処理実行部５３、画像取得部５５および許可部６１に出力する。
【００３９】
画像取得部５５は、操作受付部５１から操作識別情報が入力されると、カメラ２４を能動化する。これにより、カメラ２４は、撮像範囲を撮像して得られる画像データを出力する。そして、画像取得部５５は、カメラ２４が出力する画像データを取得し、取得された画像データを特定部５７に出力する。
【００４０】
携帯電話機１のＥＥＰＲＯＭ３３は、ユーザデータを予め記憶する。ユーザデータは、携帯電話機１を使用するユーザとして予め登録されたユーザ毎に１つのユーザレコードを含む。図４は、ユーザレコードのフォーマットの一例を示す図である。図４を参照して、ユーザレコードは、ユーザ識別情報の項目と、属性の項目と、顔画像の項目とを含む。ユーザ識別情報の項目は、携帯電話機１を使用するユーザとして予め登録されたユーザを識別するためのユーザ識別情報が設定される。属性の項目は、携帯電話機１を使用する本人、本人の家族、本人と同一の会社に勤務する社員の別を示す。家族は、さらに、父、母は、子供との別を含む。顔画像の項目は、ユーザの顔を撮像した顔画像が設定される。携帯電話機１のカメラ２４により撮像して得られる画像データが顔画像の項目に設定される。
【００４１】
図３に戻って、特定部５７は、画像取得部５５から入力される画像データに基づき、ＥＥＰＲＯＭ３３に記憶されているユーザデータを参照して認証する。具体的には、特定部５７は、画像取得部５５から入力される顔画像を、ユーザデータに含まれるユーザレコードの顔画像の項目に設定された顔画像と比較し、双方が類似するか否かを判断する。画像取得部５５から入力される顔画像と類似する顔画像が顔画像の項目に設定されたユーザレコードが抽出される場合、抽出されたユーザレコードのユーザ識別情報の項目に設定されているユーザ識別情報で識別されるユーザを操作者に特定する。特定部５７は、操作者に特定したユーザのユーザ識別情報を許可部６１に出力する。
【００４２】
位置取得部５９は、現在の位置を示す現在位置を取得する。具体的には、位置取得部５９は、ＧＰＳセンサ３８が衛星から受信する信号を取得し、取得した信号に基づいて緯度と経度とを取得する。位置取得部５９は、取得した緯度と経度とを現在の位置情報として許可部６１に出力する。なお、位置取得部５９は、ＧＰＳセンサ３８が衛星から受信する信号から緯度と経度とを算出してもよいし、ＧＰＳセンサ３８が出力する信号を、インターネットに接続されたサーバに送信し、サーバが返信する緯度と経度とを受信するようにしてもよい。
【００４３】
許可部６１は、特定部５７より入力されるユーザ識別情報と、位置取得部５９から入力される位置情報と、現在の時刻とに基づいて、操作受付部５１から入力される操作識別情報に対応する処理を処理実行部５３が実行可能か否かを判断する。許可部６１は、処理実行部５３による処理の実行が可能と判断する場合、処理実行部５３に許可信号を出力するが、処理実行部５３による処理の実行が不可能と判断する場合、処理実行部５３に不許可信号を出力する。具体的には、許可部６１は、ＥＥＰＲＯＭ３３に記憶されている関連付テーブルを参照し、操作受付部５１から入力される操作識別情報に対応する処理が、位置取得部５９から入力される位置情報と、現在の時刻とに関連付けられており、かつ、特定部５７より入力されるユーザ識別情報により識別されるユーザに対して許可されているか否かを判断する。関連付けテーブルは、処理実行部５３が実行可能な複数の処理毎に、場所と時間との組み合わせに対してその処理の実行を指示することが許可されたユーザを定義する。
【００４４】
処理実行部５３は、操作受付部５１から操作識別情報が入力されると、操作識別情報により識別される処理を、許可部６１から許可信号が入力されることを条件に、実行する。
【００４５】
図５は、関連付テーブルの一例を示す図である。関連付テーブルは、処理の項目と、場所の項目と、時間の項目と、ユーザの項部目と、を含む。処理の項目は、処理実行部５３が実行可能な処理が設定される。場所の項目は、地図上の位置が設定される。地図上の１は、緯度と経度とで表されてもよいし、地図上のある領域で表されてもよい。時間の項目は、設定される場合と設定されない場合とがある。
【００４６】
例えば、関連付テーブルの最初のレコードは、すべての処理に対して、場所の項目に「通勤圏および自宅内」が設定され、時間の項目に何も設定されず、ユーザの項目に「本人と家族」が設定される。この場合、現在位置が通勤圏および自宅内であれば、本人と家族とにすべての処理の実行を指示することが許可される。２番目のレコードは、すべての処理に対して、場所の項目に「通勤圏および自宅以外」が設定され、時間の項目に何も設定されず、ユーザの項目に「本人」が設定される。この場合、現在位置が通勤でおよび自宅以外であれば、本人のみにすべての処理の実行を指示することが許可される。また、３番目のレコードは、個人情報にアクセスする処理に対して、場所の項目に「自宅内」が設定され、時間の項目に何も設定されず、ユーザの項目に「本人と家族（母親）」が設定される。個人情報にアクセスする処理は、例えば、電子メールの送受信履歴、電話の発着信履歴、データフォルダに記憶されているデータへのアクセスを含む。この場合、現在位置が自宅内であれば、本人と母親のみに個人情報でアクセスする処理の実行を指示することが許可される。４番目のレコードは、個人情報にアクセスする処理に対して、場所の項目に「自宅外」が設定され、ユーザの項目に「本人」が設定される。この場合、現在位置が自宅外であれば、本人にのみ個人情報にアクセスする処理の実行を指示することが許可される。
【００４７】
５番目のレコードは、通話（発信・着信）、電子メール送受信、ゲームの処理に対して、場所の項目に「自宅内」が設定され、時間の項目に「０:００〜６：００」が設定され、ユーザの項目に「家族（父親、母親のみ）」が設定される。この場合、現在位置が自宅内であり、現在時刻が「０:００〜６：００」の期間に家族（父親、母親のみ）であれば、通話（発信・着信）、電子メール送受信またはゲームの処理の実行を指示することが許可される。６番目のレコードは、通話（発信・着信）、電子メール送受信、ゲームの処理に対して、場所の項目に「自宅外」が設定され、時間の項目に何も設定されず、ユーザの項目に「なし」が設定される。この場合、現在位置が自宅外であれば、通話（発信・着信）、電子メール送受信、ゲームの処理の実行を指示することが誰にも許可されない。
【００４８】
７番目のレコードは、仕事用の電子メールアドレスにアクセスする処理に対して、場所の項目に「会社内」が設定され、時間の項目に「９:００〜１７：００」が設定され、ユーザの項目に「本人と社員」が設定される。この場合、現在位置が会社内であり、現在時刻が９：００〜１７：００の範囲内の場合、本人と社員のみに仕事用の電子メールアドレスにアクセスする処理の実行を指示することが許可される。７番目のレコードは、仕事用の電子メールアドレスにアクセスする処理に対して、場所の項目に「会社外」が設定され、時間の項目に「９:００〜１７：００」が設定され、ユーザの項目に「本人」が設定される。この場合、現在位置が会社外であり、現在時刻が９：００〜１７：００の範囲内の場合、本人のみに仕事用の電子メールアドレスにアクセスする処理の実行を指示することが許可される。
【００４９】
図６は、ロック解除処理の流れの一例を示すフローチャートである。ロック解除処理は、制御部２１がロック解除プログラムを実行することにより制御部２１により実行される処理である。図６を参照して、制御部２１は、操作を受け付けたか否かを判断する（ステップＳ０１）。ユーザが操作キー１４を操作して、操作を入力すると、操作キー１４から操作を受け付ける。操作を受け付けるまで待機状態となり（ステップＳ０１でＮＯ）、操作を受け付けると処理をステップＳ０２に進める。ステップＳ０２においては、撮像環境測定する。光センサ３７が出力する値に基づいて、携帯電話機１の周囲の環境の明るさを測定する。周囲の環境が所定の明るさか否かを判断し（ステップＳ０３）、周囲の環境が所定の明るさでなければ処理をステップＳ０４に進める、周囲の環境が所定の明るさならば処理をステップＳ０４をスキップして処理をステップＳ０５に進める。ステップＳ０４においては、ライトを起動し、操作者の顔を照射し、処理をステップＳ０５に進める。周囲の環境が暗い場合に被写体である操作者の顔を照射するので顔を画像を鮮明に撮像することができる。
【００５０】
ステップＳ０５においては、カメラ２４を能動化し、カメラ２４に撮像させる。これにより、カメラ２４が携帯電話機１を操作する操作者を被写体とした画像データを出力するので、その画像データを取得する。
【００５１】
次のステップＳ０６においては、取得された画像データから操作者を特定する。ステップＳ０７においては、操作者を特定できたか否かを判断する。操作者を特定できたならば処理をステップＳ０８に進める、操作者を特定できない場合には処理をステップＳ１３に進める。ステップＳ０８においては、関連付テーブルをＥＥＰＲＯＭ３３から読み出す。そして現在時刻を取得し（ステップＳ０９）、現在位置を取得する（ステップＳ１０）。
【００５２】
そして、ステップＳ０８において読み出された関連付テーブルを参照して、ステップＳ０１において受け付けられた操作に対応する処理を実行可能か否かを判断する（ステップＳ１１）。具体的には、ステップＳ０１において受け付けられが操作に対応する処理を処理の項目に含み、かつ、ステップＳ１０において取得された位置情報を場所の項目に設定されている位置情報に含み、かつ、ステップＳ０９において取得された現在時刻を時間の項目に設定されている時間に含む関連付レコードを関連付データのうちから抽出する。そのような関連付レコードが抽出された場合、抽出された関連付レコードのユーザの項目に設定されているユーザに、ステップＳ０６において特定されたユーザが含まれるならば処理を実行可能と判断するが、そうでなければ処理を実行不可能と判断する。また、関連付レコードが抽出されない場合、処理を実行不可能と判断する。操作に対応する処理を実行可能であれば処理をステップＳ１２に進めるが、そうでなければ処理をステップＳ１３に進める。ステップＳ１２においては、ステップＳ０１において受け付けられた操作に対応する処理を実行し、処理を終了する。
【００５３】
一方、ステップＳ１３においては、エラー処理を実行し、処理を終了する。エラー処理は、例えば、（１）宛先を予め登録された電子メールアドレスとし、警告メッセージを含む電子メールを生成し、生成した電子メールを送信する。この場合、ステップＳ０５においてカメラ２４により撮像された画像データを電子メールに添付するのが望ましい。処理を実行する権限を与えられていない者の顔を撮像した画像が送信されるので、携帯電話機１を許可なく使用した者を特定することができる。さらに、ステップＳ１０において取得された位置情報を電子メールに添付するようにしてもよい。携帯電話機１が盗難された場合には、携帯電話機１の場所を特定することができる。（２）防犯ブザーまたは着信音を鳴動させる。（３）ランプを点灯または点滅させる。（４）ＬＣＤ１５のバックライトを消灯させる。ＬＣＤ１５に表示された画像を見ることができなくなるので、携帯電話機１を使用不可能にすることができる。
【００５４】
なお、本実施の形態においては、ネットワークの一例として、Ｗ−ＣＤＭＡについて説明したが、ＰＤＣ（Ｐｅｒｓｏｎａｌ  Ｄｉｇｉｔａｌ  Ｃｅｌｌｕｌａｒ）方式、ＧＳＭ（Ｇｌｏｂａｌ  Ｓｙｓｔｅｍ  ｆｏｒ  Ｍｏｂｉｌｅ）方式、ＣＤＭＡ（Ｃｏｄｅ  Ｄｉｖｉｓｉｏｎ  Ｍｕｌｔｉｐｌｅ  Ａｃｃｅｓｓ）方式のネットワーク、ＰＨＳ（Ｐｅｒｓｏｎａｌ  Ｈａｎｄｙｐｈｏｎｅ  Ｓｙｓｔｅｍ）のネットワークであってもよい。
【００５５】
以上説明したように本実施の形態における携帯電話機１は、ユーザが操作キーに操作を入力すると、カメラ２４により操作者が撮像され、操作者を撮像して得られるた画像データを用いて操作者が特定され、特定された操作者と現在位置とに基づき、操作に対応する処理の実行が許可される。このため、携帯電話機１が存在する位置によって使用を許可する操作者を異ならせることができる。
【００５６】
また、関連付テーブルによってユーザを識別するためのユーザ識別情報に対応して時間帯が関連付けられ、現在時刻が操作者のユーザ識別情報と関連付けられた時間帯に含まれる場合、処理の実行が許可される。このため、時間帯によって使用を許可する操作者を異ならせることができる。
【００５７】
さらに、制御部２１は、複数のアプリケーションプログラムを実行することにより複数の処理を実行可能であり、関連付テーブルは、ユーザを識別するためのユーザ識別情報に複数の処理の少なくとも１つが関連付けられており、ユーザが操作キーに操作を入力すると、入力された操作に対応する処理が、操作者のユーザ識別情報と関連付けられている場合、処理の実行が許可される。このため、操作者によって実行させることができる処理を異ならせることができる。
【００５８】
なお、本実施の形態においては、携帯情報処理装置の一例として携帯電話機１を例に説明したが、例えばＰＤＡ（Ｐｅｒｓｏｎａｌ  Ｄｉｇｉｔａｌ  Ａｓｓｉｓｔａｎｔｓ）であってもよい。また、図６に示したロック解除処理を実行するためのロック解除方法、またはロック解除方法をコンピュータに実行させるためのロック解除プログラムとして発明を捉えることができるのは言うまでもない。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６０】
＜付記＞
（１）  前記関連付手段は、さらに、前記識別情報に時間帯を関連付け、
前記許可手段は、現在時刻が前記特定された操作者の識別情報と関連付けられた時間帯に含まれる場合、前記処理実行手段により処理の実行を許可する、請求項２に記載の携帯情報処理装置。
（２）  現在位置を取得する位置取得手段をさらに備え、
前記関連付手段は、さらに、前記識別情報に位置情報を関連付け、
前記許可手段は、前記取得された位置情報が前記特定された操作者の識別情報と関連付けられた位置情報に含まれる場合、前記処理実行手段により処理の実行を許可する、請求項３に記載の携帯情報処理装置。
（３）  処理を実行するステップと、
前記操作が受け付けられることに応じて、被写体を撮像して画像データを取得するステップと、
前記取得された画像データを用いて操作者を特定するステップと、
操作者を識別するための識別情報と時間帯とを関連付けるステップと、
現在時刻が前記特定された操作者の識別情報と関連付けられた時間帯に含まれる場合、処理の実行するか否かを決定するステップと、を含むロック解除方法。
【図面の簡単な説明】
【００６１】
【図１】本発明の実施の形態の１つにおける携帯電話機の外観を示す斜視図である。
【図２】本実施の形態における携帯電話機の機能の一例を示す機能ブロック図である。
【図３】携帯電話機が備える制御部の機能の概要を示す機能ブロック図である。
【図４】ユーザレコードのフォーマットの一例を示す図である。
【図５】関連付テーブルの一例を示す図である。
【図６】ロック解除処理の流れの一例を示すフローチャートである。
【符号の説明】
【００６２】
１  携帯電話機、２  表示側部、３  操作側部、１１  第１スピーカ、１２  第２スピーカ、１３  マイクロフォン、１４  操作キー、１４Ａ  電源キー、１９  赤外線通信部、２１  制御部、２２  通信回路、２２Ａ  アンテナ、２４  カメラ、２７  カードＩ／Ｆ、２７Ａ  フラッシュメモリ、２８  コーデック部、３０  表示制御部、３２  ＲＡＭ、３３  ＥＥＰＲＯＭ、３５  バッテリ、３７  光センサ、３８  ＧＰＳセンサ、５１  操作受付部、５３  処理実行部、５５  画像取得部、５７  特定部、５９  位置取得部、６１  許可部。
【図１】
2009212656.tif 000003
【図２】
2009212656.tif 000004
【図３】
2009212656.tif 000005
【図４】
2009212656.tif 000006
【図５】
2009212656.tif 000007
【図６】
2009212656.tif 000008